(57)【要約】　　　（修正有）【課題】特に工場や、倉庫などに積載している荷物を確実に、且つ容易に包装することができるフィルム包装用具の提供。【解決手段】棒状体１１の一端１２側に、帯状のフィルムを巻き付けたフィルムロールを引き出し可能に支持する支持部２５を設定し、上記棒状体１１の他端２６側に、該棒状体１１を把持する把持部２４を設定し、上記支持部２５側の端部１２外周部に鍔部１３を形成して、上記棒状体１１における上記鍔部１３の端部１２側に、任意の方向に回動可能な支持球体を保持したフィルム包装用具１０。　【選択図】　　図１
0003099816.tif 000002
【実用新案登録請求の範囲】
【請求項１】
　棒状体の一端側に、帯状のフィルムを巻き付けたフィルムロールを引き出し可能に支持する支持部を設定し、
上記棒状体の他端側に、該棒状体を把持する把持部を設定し、
上記支持部側の端部外周部に鍔部を形成して、
上記棒状体における上記鍔部の端部側に、任意の方向に回動可能な支持球体を保持した
フィルム包装用具。
【請求項２】
　前記把持部、及び、前記支持部を、芯孔を有する前記フィルムロールにおける該芯孔を挿通可能に形成した
請求項１に記載のフィルム包装用具。
【請求項３】
　前記把持部を、人が把持し易いように前記支持部と異なる太さに形成した
請求項１、又は２に記載のフィルム包装用具。
【請求項４】
　上記棒状体を、伸縮可能に形成した
請求項１、２、又は３に記載のフィルム包装用具。
【考案の詳細な説明】
【技術分野】
【０００１】
　この考案は、特に工場や、倉庫などにおいて積載されている荷物をフィルムで包装して保管するフィルム包装用具に関する。
【背景技術】
【０００２】
　従来、例えば、倉庫内では、輸送待ちの商品や在庫品を複数のダンボールに梱包し、該ダンボールに梱包した荷物をパレット上に積載した状態でよく保管されている。しかし、出荷日まで一定期間保管する際において、防塵対策、防湿対策等の観点から、さらに上記積載した状態の荷物全体をフィルムで包装することが日常的に行われている。
【０００３】
　その際、フィルムは、通常、帯状のものを巻き付けたフィルムロールから必要量だけ引き出して用いる。このため、上記フィルムロールを用いて包装すれば、積載している荷物の必要な部分のみを包装することや、積載している荷物が如何なる大きさ、量であっても、必要量だけフィルムを引き出して包装することができるという利点を有する。
【０００４】
　しかし、上記積載した荷物を包装する動作について、着目すると、例えば、積載した荷物の下部外周部を包装する場合、作業者は、上記フィルムロールを上下方向に起立した状態で、フィルムロールの下側と上側とに手を沿えて、積載した荷物の下側に臨ませる。　
　そして、作業者は、そのまま腰を屈めた状態で積載した荷物の外周を周回して該積載した荷物の側面を包装する。上記一連の動作は、作業者にとって、非常に労力を要するという問題点を有する。
【０００５】
　また、作業者が積載した荷物における背丈よりも高い外周部を包装する場合、利用者は、腕をあげてフィルムロールを下側から支えながら包装することになる。　
　しかし、包装途中においてフィルムをロールから引き出す際に作用する張力によって、ロールが傾倒してしまい、確実に積載した荷物を包装することができないとともに、労力を要するという問題点も有する。なお、移動しながら包装するため脚立等も使用することができない。
【考案の開示】
【考案が解決しようとする課題】
【０００６】
　そこで、本考案は、特に工場や、倉庫などに積載している荷物を確実に、且つ容易に包装することができるフィルム包装用具の提供を目的とする。
【課題を解決するための手段】
【０００７】
　本考案は、棒状体の一端側に、帯状のフィルムを巻き付けたフィルムロールを引き出し可能に支持する支持部を設定し、上記棒状体の他端側に、該棒状体を把持する把持部を設定し、上記支持部側の端部外周部に鍔部を形成して、上記棒状体における上記鍔部の端部側に、任意の方向に回動可能な支持球体を保持したフィルム包装用具であることを特徴とする。
【０００８】
　上記帯状のフィルムを巻き付けたフィルムロールは、シート（例えば、養生シート）、テープ、ラップ、ネット（例えば、防風ネット）、ポリエチレン気泡緩衝材等を巻き付けたロールも含む。
【０００９】
　さらに、上記フィルム包装用具は、芯孔を有するフィルムロール、あるいは芯孔を有しないフィルムロールも適用対象とする。　
　なお、上記芯孔とは、該芯孔を有するフィルムロールを断面視したとき、略中央部に有する貫通孔を示す。
【００１０】
　すなわち、例えば、上記フィルム包装用具は、把持部、及び、前記支持部を、芯孔を有する前記フィルムロールにおける該芯孔が挿通可能に形成すれば、芯孔を有するフィルムロールを適用することができる。
【００１１】
　また、上記フィルム包装用具の材質は、軽量、経済的であり、しかも燃えにくい等の特徴を有する塩化ビニル管が特に好ましいが、その他、鋼管、アルミ等の金属や木材等であっても構わない。
【００１２】
　上記構成により、積載した荷物の下側外周部を包装する場合、作業者は、上記棒状体の他端側（把持部の端部側）からフィルム包装用具を、フィルムロールの芯孔に挿通する。そして、上記支持球体を地面に接地した状態で、フィルム包装用具を起立する。
【００１３】
　これにより、上記挿通したフィルムロールは、把持部に位置するが、把持部を摺動しながら落下して支持部に到達し、フィルムロールの下端部は、鍔部に当接する。　
　さらに、利用者は、フィルムロールから帯状のフィルムを引き出して、フィルム端部を固定しておく。　
　そして、フィルム包装用具を起立した状態で利用者が把持部に力を付与すると、該付与した方向に支持球体を回動させることができる。
【００１４】
　よって、作業者が、フィルム包装用具を積載した荷物の外周沿いに動作するに伴って、フィルムに張力が作用する。該張力により、フィルムロールが受動的に回転し、フィルムを引き出して包装することができる。
【００１５】
　また、積載した荷物の上方の包装において、作業者は、フィルム包装用具を上下方向逆にして抱持する。すなわち、鍔部を上側に位置させてフィルム包装用具を起立させる。そして、利用者は、フィルムロールの上端部を鍔部に当接させて、フィルムロールの下端部のみを、支持すればよい。
【００１６】
　すなわち、フィルムロールは、支持部によって、支持されているため、傾倒することもなく、利用者は、把持部を把持しながら包装できる。
【００１７】
　また、フィルム包装用具における前記把持部を、人が把持し易いように前記支持部と異なる太さに形成してもよい。
【００１８】
　すなわち、上記把持部について、人が把持可能な太さ、長さに形成すれば、フィルム包装用具の操作性がさらに向上する。
【００１９】
　また、フィルム包装用具は、上記棒状体を、伸縮可能に形成してもよい。
【００２０】
　上記構成を採れば、支持部内部に把持部を収納する収納孔を設ける、あるいは、把持部を屈曲して折畳み可能に形成して伸縮させる等、上記棒状体が伸縮可能であればよい。
【考案の効果】
【００２１】
　この考案によれば、上記フィルム包装用具を用いれば、利用者は、フィルムロールを用いて、積載された荷物の外周部を包装する際において、いちいち腰を屈めたり、腕を伸ばしたりする必要がないため、労力を要しない。
【００２２】
　また、自分の背丈以上の高さに積載された荷物であっても、自分の手の届く範囲に位置する把持部を把持して上記フィルム包装用具を動かすだけで容易に包装することができる。
【００２３】
　しかも、上記フィルム包装用具には、上記鍔部を形成しているため、該鍔部にフィルムロールの一端部を位置決めした状態で包装することができるため、フィルムを包装している途中でフィルムロールの高さ位置がずれることがない。
【００２４】
　さらに、上記支持球体を地面に接地させて回動させることによっても、上記フィルム包装用具を移動することができる。このように移動させれば、利用者にとって該フィルム包装用具自体の重量が、負担とならないため、労力を要しない。
【００２５】
　また、上記把持部と支持部との径が同径の上記棒状体を用いれば、該フィルム包装用具を低コストに形成することができる。
【００２６】
　上記把持部を人が把持し易い径に形成すれば、上記フィルム包装用具は、さらに操作性が向上し、積載した荷物を包装し易くなる。
【００２７】
　上記棒状体を、伸縮可能に形成すれば、不使用時において場所をとらず、コンパクトに収納することができる。
【００２８】
　また、上記フィルム包装用具は、ロールの芯孔を棒状体に抜き差しするだけで、使用環境に応じた任意のロールに取り換えることができる。このため、様々な機能、サイズのフィルムを選択して包装できる。　
　例えば、防塵性、防湿性を向上するため、あるいは、荷崩れを防止するため、積載した荷物の傷付きを防止する等の使用用途に応じて変更することができる。従って、工場、倉庫などをはじめとしてさまざまな分野においても応用できる。
【考案を実施するための最良の形態】
【００２９】
　この考案の一実施形態を、以下図面を用いて説明する。　
　図１は、長さ、直径が例えば、１．４ｍ、７．５ｃｍ程度の円筒状の塩化ビニル管１１（塩ビ管）の一方の端部１２における外周部に、直径、厚さが例えば１１ｃｍ、１．８ｃｍの鍔部１３を形成している。
【００３０】
　さらに、図２に示すごとく、上記塩化ビニル管１１の一方の端部１２の内側には、弾性部材１４を嵌着している。上記弾性部材１４を嵌着したときの一方の端部１２側に位置する面は、略半球状に湾曲した凹部１５を備えている。
【００３１】
　加えて、略半球状の凹部１５の表面に、該略半球形状をした金属製の薄板１６を取り付けている。さらに、上記薄板１６上には、パチンコ玉程度の大きさをした所定個数の上記球体１７を、点接触させた状態で配設している。　
　なお、上記複数の球体１７は、各隣接する球体１７間に、柔軟な弾性部材で形成した球体保持部材１８（ボールリテーナー）を介在させて配設しているため、各球体１７は、他の球体１７と適度な間隔を確保し、それぞれの部位で受動的に回動することができる。
【００３２】
　さらに、子供の拳大程度の支持球体１９を上記配設した球体１７の略全てと当接させている。ここで、上述するごとく当接させたとき、支持球体１９の中心部２０（重心部）の水平方向については、該中心部２０と上記塩化ビニル管１１の中心軸２１とを一致させている。　
　上下方向については、支持球体１５の中心部２０が上記塩化ビニル管１１の上記一方の端面２２よりも、塩化ビニル管１１の中央側に入り込んだ位置に枢着している。
【００３３】
　そして、塩化ビニル管１１の一方の端部１２における、上記支持球体１９の外周部と、塩化ビニル管１１の内周縁部との間に位置する環状部には、該環状部を封止する金属製の環状封止部材２３を取り付けている。
【００３４】
　このように、上記支持球体１９の重心点２０を、上記環状封止部材２３より、上側に位置させることで、上記支持球体１９は、上記環状封止部材２３により保持することができるため、支持球体１９が塩化ビニル管１１から離間してしまうことがない。
【００３５】
　また、上記環状封止部材２３と、支持球体１９とは点接触している。これにより、支持球体１９を地面に接地した状態で回動させたとき、該支持球体１９に塵や埃が付着したまま、環状封止部材２３の上方に入りこむことを阻止することができる。　
　よって、上記球体１７間が塵等でつまることがなく、支持球体１９の回動性能を良好に確保することができる。
【００３６】
　また、上記フィルム包装用具１０は、機能上、上記塩化ビニル管１１における上記他方の側を人が把持可能な把持部２４に設定し、上記塩化ビニル管１１における上記一方の側を、帯状のフィルム３６を巻き付けたフィルムロール３３を引き出し可能に支持する支持部２５と設定している（図１参照）。
【００３７】
　上述した構成により、フィルム包装用具１０は、構成している。　
　作業者が上記フィルム包装用具１０を用いて、倉庫内に接地しているパレット３０上に積載した荷物３１の下部の外周部を、芯孔３２を備えたフィルムロール３３で包装する手順について説明を行う。
【００３８】
　まず、初めに、フィルムロール３３を、塩化ビニル管１１における上記支持部２５端部側から、該塩化ビニル管１１を、フィルムロール３３における芯孔３２に挿通したフィルムロール３３を、塩化ビニル管１１の外周上をスライドさせて、該フィルムロール３３の一方の端部を鍔部１３に当接させる。さらに、支持球体１９を地面に接地させた状態で、フィルム包装用具１０を起立させる。
【００３９】
　さらに、図３に示すごとく作業者は、上下に積載している各荷物３１の隙間３５にフィルムの端部３７を挟み込み取り付けておく。なお、その他のフィルム端部３７を固定する方法として、テープで添着したり、他の誰かに把持してもらったりして固定しても構わない。
【００４０】
　上述した状態で作業者が、把持部２４を把持しながら動かすと、図３に示すごとく支持球体１９が回動するため、作業者は、フィルム包装用具１０を、積載した荷物３１の外周部に沿わせながら周回することができる。
【００４１】
　ここで、作業者がフィルム包装用具１０をある程度動かしたとき、フィルムの一端３７側を固定しているため、フィルム３６には張力が作用する。このため、フィルム包装用具１０をさらに動かすと、挿通しているフィルムロール３３は、受動的に回動して、フィルム３６を連続的に引き出すことができる。　
　上記動作のとおり、作業者がフィルム包装用具１０を把持しながら、積載した荷物３１の外周部の周回すれば、該積載した荷物３１の外周部における下部を包装することができる。また、上述した一連の動作において、作業者は、腰をかがめる必要もなく、また、フィルムロール３３、あるいは、フィルム包装用具１０を抱え込む必要もなく把持部２４に力を付与するだけでよく、容易に包装することができる。
【００４２】
　また、鍔部１３を形成することによって、該鍔部１３は、単にフィルムロール３３を支持するだけでなく、位置決めとしても機能する。よって、包装したフィルム３６を一定の高さに維持して、見栄えよく確実に包装することができる。
【００４３】
　次に、図４に示すごとく、例えば、上記パレット３０上に積載した荷物３１の２組を、上下方向に積み上げた状態における上側に位置する荷物３１の外周部を包装する場合について説明する。
【００４４】
　上記フィルムロール３３を支持部２５に挿通した状態のまま、作業者は、上記フィルム包装用具１０を持ち上げて、上下を反転させる。　
　このとき、フィルムロール３３の上端２２が鍔部１３の下面に当接させた状態で、作業者の片方の手（この場合右手）は、把持部２４におけるフィルムロール３３の下端部に位置する部位に、添える感覚で軽く把持する。上記片方の手でフィルムロール３３が回転する具合を調節する。
【００４５】
　具体的には、上記状態で作業者は、フィルム３６に張力が作用したときのフィルムロール３３が回転する動作を阻害しないように、手とフィルムロール３３との摩擦抵抗を出来るだけ作用しないように把持する。　
　あるいは、フィルム３６を引き出しすぎて、該フィルム３６に弛みが生じたときには、フィルムロール３３が回転しないように、指でフィルムロール３３を挟持して該フィルムロール３３を固定して調節する。　
　一方、もう片側の手（この場合、左手）は、把持部２４におけるさらに下側をしっかりと包持し、フィルム包装用具１０を起立した状態に保つ。
【００４６】
　このように手動で調節しながら包装できるため、フィルム包装用具１０は、スムーズ、且つ、見栄えよくフィルム３６を包装することができる。　
　なお、作業者は、上記摩擦抵抗によって、手を傷めないように、あるいは積載した荷物３１を適切な張りをもたせたフィルム３６によって包装することができるように、適度に摩擦抵抗を付与できる軍手を着用することが好ましい。
【００４７】
　上述の手順に従って包装すれば、積載した荷物３１の全体あるいは、一部のみ等任意の部位を包装することができる。　
　また、上記フィルム包装用具１０を用いれば、積載した荷物３１の下部（約１８ｍｍ程度の高さ）から、上部（約３ｍ程度の高さ）まで包装することができる。
【００４８】
　なお、上記鍔部１３を端部（１２、又は２６）側に形成することで、該鍔部１３がフィルム包装用具１０を支持することにより、不使用時に作業者が、フィルム包装用具１０全体を起立した状態で壁に立て掛けて安定した状態で保管することができる。
【００４９】
　次に、他の考案の形態として、図５（ａ）に示すごとく、フィルム包装用具５０は、塩化ビニル管１１における把持部２４と支持部２５とをそれぞれの用途に適した軸径に変更して形成することができる。
【００５０】
　具体的には、支持部２５については、フィルムロール３３を支持するとともに、該フィルムロール３３が張力によって回転運動をすることが阻害されない上述した軸径を確保することができる。
【００５１】
　さらに、把持部２４については、人が把持し易い、すなわち、作業者が把持部２４を把持したとき、把持部２４の外周部を手で完全に包持することが可能に支持部２５よりも径細に形成しているため、フィルム包装用具５０の操作性をさらに向上させることができる。
【００５２】
　さらに、他の実施形態として上記フィルム包装用具１０は、伸縮可能に形成してもよい。例えば、図５（ｂ）に示すごとく、上記フィルム包装用具６０における把持部２４を上記実施例と同様に人が把持し易い太さの金属棒体６１で形成する。支持部２５については、上部が径細な円筒状の塩化ビニル管６２で形成している。ここで、上記支持部２５の内径は、把持部２４の径よりも径大に形成している。支持部２５と把持部２４との連結部６３は、螺合によって連結している。
【００５３】
　上記構成を採れば、作業者は、把持部２４を支持部２５に対して回動させて連結部６３における螺合を解除してやれば、該把持部２４を回動する向きによって、把持部２４が支持部２５内に収納したり（図５（ｃ）参照）、把持部２４と支持部２５とを離間したりすることができる。　
　これにより、不使用時にフィルム包装用具６０をコンパクトに収納でき、収納の場所を要しない。　
　なお、当然、連結部６３は、上述するごとく螺合によって形成することに限らず、支持部２５と把持部２４とを着脱可能に嵌着する構成とする、あるいはビス等で連結可能に形成する等してもよい。
【００５４】
　また、他の実施形態として、図６に示すごとく、上記フィルム包装用具１０、５０、６０に形成したような上記支持球体１９を形成せず、鍔部１３の下面に、上記支持球体１９と同じ構造であるが、ビー玉程度の大きさに形成した所定個数の支持球体７１を鍔部１３下面に配設してもよい。　
　上記構成を採れば、複数の点でフィルム包装用具７０を支持することができるため、安定性もよくなり、作業者は積載した荷物３１を包装する動作が行い易く、しかも、不使用時においては、該フィルム装包装用具７０を起立した状態で収納することができる。
【００５５】
　また、上記フィルム包装用具のフィルムロール３３を任意の高さで調節可能に形成してもよい。例えば、フィルム包装用具に、金属棒の外周部における所定の対向部を貫通する位置決め孔を上下方向に所定間隔隔てて複数形成しすれば、よい（図示せず）。
【００５６】
　上記構成を採れば、作業者は、荷物３１を包装する高さに対応する位置決め孔にピンを挿通し、例えばフィルムロール３３の下端部を、該挿通したピンに当接させて位置決めすることができる。　
　これにより、作業者は、様々な高さ位置で荷物３１を包装することができる。
【００５７】
　さらに、上述するごとくフィルムロール３３の下端部からピンで支持するのに加えて、バネでフィルムロール３３を上側から押圧可能に形成し、適度な接触抵抗を確保して、フィルム３６が不必要に引き出されることがないようにすることもできる。
【００５８】
　上述の実施形態と、この考案の構成との対応において、この実施形態の塩化ビニル管１１は、この考案の棒状体に対応するも、この考案は、上述の実施形態の構成のみに限定されるものではなく、多くの実施の形態を得ることができる。
【図面の簡単な説明】
【００５９】
【図１】本考案のフィルム包装用具を現した側面図。
【図２】本考案のフィルム包装用具の一方の端部側を一部断面で現した側面図。
【図３】本考案のフィルム包装用具の使用状態を現した外観図。
【図４】本考案のフィルム包装用具の他の使用状態を現した外観図。
【図５】本考案の他のフィルム包装用具を現した側面図（ａ）、本考案のさらに他のフィルム包装用具を現した側面図（ｂ）、図５（ｂ）のフィルム包装用具の収納状態を現した側面図（ｃ）。
【図６】本考案の手段の他のフィルム包装用具の一方の端部側を一部断面で現した側面図（ａ）、本考案の手段の他のフィルム包装用具の底面図（ｂ）。
【符号の説明】
【００６０】
１０、５０、６０、７０…フィルム包装用具
１１…塩化ビニル管
１３…鍔部
１９、７１…支持球体
２４（６１）…把持部
２５（６２）…支持部
３３…フィルムロール
【図１】
0003099816.tif 000003
【図２】
0003099816.tif 000004
【図３】
0003099816.tif 000005
【図４】
0003099816.tif 000006
【図５】
0003099816.tif 000007
【図６】
0003099816.tif 000008